(57)【要約】【課題】リモコン本体をネジ固定しなくても、リモコン本体がホルダから容易に取り外されることを防ぐことが可能なトイレ用リモコンを提供する。【解決手段】トイレ装置を操作するために用いるトイレ用リモコンＲであって、前記トイレ装置に操作信号を送信するリモコン本体１０と、取付面Ｔに固定されて前記リモコン本体１０を保持するホルダ２０と、を備え、前記ホルダ２０は、前記リモコン本体１０を間に挟んで移動を規制する一対の保持部３０Ｆ，３０Ｓを有している。【選択図】図１
2020143542.tif 000002
【特許請求の範囲】
【請求項１】
トイレ装置を操作するために用いるトイレ用リモコンであって、
前記トイレ装置に操作信号を送信するリモコン本体と、
取付面に固定されて前記リモコン本体を保持するホルダと、を備え、
前記ホルダは、前記リモコン本体を間に挟んで移動を規制する一対の保持部を有しているトイレ用リモコン。
【請求項２】
前記一対の保持部が、前記リモコン本体の前記取付面に沿った一方向の移動を規制し、
前記一対の保持部のうち少なくとも一方の保持部は、前記取付面に沿った前記一方向と交差する他方向の前記リモコン本体の移動を規制する第１規制部と、前記取付面に垂直な方向の前記リモコン本体の移動を規制する第２規制部と、を備えている請求項１に記載のトイレ用リモコン。
【請求項３】
前記保持部が、前記リモコン本体の端部を覆う形状をなし、前記リモコン本体の外面と対向して前記リモコン本体の移動を規制する請求項１または請求項２に記載のトイレ用リモコン。
【請求項４】
前記ホルダが、前記一方向にスライド移動自在な一対の部材を有し、
前記一対の部材のうち一方の部材に前記一対の保持部のうち一方の保持部が設けられ、
前記一対の部材のうち他方の部材に前記一対の保持部のうち他方の保持部が設けられ、
前記一対の保持部が、接近方向及び離間方向に移動自在である請求項１から請求項３のいずれか一項に記載のトイレ用リモコン。
【請求項５】
前記一対の部材の前記離間方向の移動を固定する固定具を備えている請求項４に記載のトイレ用リモコン。
【請求項６】
前記取付面に固定された前記ホルダに保持された状態において、前記リモコン本体のうち前記取付面に臨む側の面に操作部が設けられている請求項１から請求項５のいずれか一項に記載のトイレ用リモコン。
【発明の詳細な説明】
【技術分野】
【０００１】
本発明は、トイレ用リモコンに関する。
【背景技術】
【０００２】
従来、トイレ装置を操作するために用いるトイレ用リモコンが知られている。トイレ用リモコンは、トイレ装置に操作信号を送信するリモコン本体を備えている。リモコン本体は、持ち運びできるハンディタイプのものがある。ハンディタイプのリモコン本体は、一般に、取付面に固定されたホルダに着脱自在に保持される。例えば下記特許文献１の図１には、箱型をなすホルダにリモコン本体を挿入して保持するものが記載されている。ホルダは、上面側が開口した形態をなし、リモコン本体は上方から挿入される。リモコン本体は、ホルダの周面及び下面によって、ホルダに保持される。
【先行技術文献】
【特許文献】
【０００３】
【特許文献１】特開２０１１−８４８６７号公報
【発明の概要】
【発明が解決しようとする課題】
【０００４】
しかしながら、上記のような構成では、ホルダから容易にリモコン本体を取り外せるため、不特定多数の人が使用する場所では、リモコン本体の盗難が心配される。そこで、リモコン本体の盗難を防ぐべく、例えばリモコン本体をホルダにネジ固定することが考えられる。そうした場合、リモコン本体に固定用のネジ穴を形成する必要が生じ、リモコン本体の見た目が悪くなる。リモコン本体は、ホルダから取り外して使用することもあるため、見た目が悪くなることは望ましくない。このため、リモコン本体をネジ固定しなくても、リモコン本体がホルダから容易に取り外されないようにしたいという要望があった。
【０００５】
本発明は上記のような事情に基づいて完成されたものであって、リモコン本体をネジ固定しなくても、リモコン本体がホルダから容易に取り外されることを防ぐことが可能なトイレ用リモコンを提供することを目的とする。
【課題を解決するための手段】
【０００６】
本発明のトイレ用リモコンは、トイレ装置を操作するために用いるトイレ用リモコンであって、前記トイレ装置に操作信号を送信するリモコン本体と、取付面に固定されて前記リモコン本体を保持するホルダと、を備え、前記ホルダは、前記リモコン本体を間に挟んで移動を規制する一対の保持部を有しているものである。
【発明の効果】
【０００７】
本発明によれば、リモコン本体は、一対の保持部により移動が規制される。したがって、ネジ固定しなくても、リモコン本体がホルダから容易に取り外されることを防ぐことができる。
【図面の簡単な説明】
【０００８】
【図１】本実施例におけるトイレ用リモコンであって、リモコン本体がホルダに取り付けられる前の状態を示す斜視図
【図２】リモコン本体の裏面を示す背面図
【図３】取付面に固定されたホルダにリモコン本体が保持された状態を示す正面図
【図４】取付面に固定されたホルダにリモコン本体が保持された状態を示す断面図
【図５】第１部材と第２部材との組み付け前の状態を示す斜視図
【図６】一対の保持部が接近した状態のホルダを示す正面図
【図７】一対の保持部が接近した状態のホルダを示す背面図
【図８】一対の保持部が離間した状態のホルダを示す背面図
【発明を実施するための形態】
【０００９】
本発明の好ましい形態を以下に示す。
本発明のトイレ用リモコンは、前記一対の保持部が、前記リモコン本体の前記取付面に沿った一方向の移動を規制し、前記一対の保持部のうち少なくとも一方の保持部は、前記取付面に沿った前記一方向と交差する他方向の前記リモコン本体の移動を規制する第１規制部と、前記取付面に垂直な方向の前記リモコン本体の移動を規制する第２規制部と、を備えているものとしてもよい。このような構成によれば、リモコン本体の３方向の移動を規制できる。
【００１０】
本発明のトイレ用リモコンは、前記保持部が、前記リモコン本体の端部を覆う形状をなし、前記リモコン本体の外面と対向して前記リモコン本体の移動を規制するものとしてもよい。このような構成によれば、リモコン本体及びホルダに、リモコン本体の移動を規制するために互いに嵌り合う凹凸を形成しなくてよいから、リモコン本体の見た目をより良くできる。
【００１１】
また、本発明のトイレ用リモコンは、前記ホルダが、前記一方向にスライド移動自在な一対の部材を有し、前記一対の部材のうち一方の部材に前記一対の保持部のうち一方の保持部が設けられ、前記一対の部材のうち他方の部材に前記一対の保持部のうち他方の保持部が設けられ、前記一対の保持部が、接近方向及び離間方向に移動自在であるものとしてもよい。このような構成によれば、一対の保持部を離間方向に移動してその間にリモコン本体をセットし、一対の保持部を接近方向に移動してその間にリモコン本体を挟むことができるから、リモコン本体の取り付け作業を容易に行うことができる。
【００１２】
また、本発明のトイレ用リモコンは、前記一対の部材の前記離間方向の移動を固定する固定具を備えているものとしてもよい。このような構成によれば、一対の部材の離間方向の移動が固定具により確実に固定されるから、リモコン本体の保持状態を確実に保つことができる。
【００１３】
また、本発明のトイレ用リモコンは、前記取付面に固定された前記ホルダに保持された状態において、前記リモコン本体のうち前記取付面に臨む側の面に操作部が設けられているものとしてもよい。このような構成によれば、リモコン本体がホルダに保持された状態では操作部を操作できないから、例えば取付面に臨む側の面に設けられた操作部をトイレ装置の各種設定を行うための操作部とすることにより、不特定多数の人が利用する場において各種設定が勝手に変更されることを防ぐことができる。
【００１４】
＜実施例＞
以下、本発明を具体化した一実施例について、図１〜図８を参照しつつ詳細に説明する。
本実施例におけるトイレ用リモコンＲは、図示しないトイレ装置を操作するために用いられる。トイレ用リモコンＲは、トイレ装置に操作信号を送信するリモコン本体１０を備えている。リモコン本体１０は、持ち運びできるハンディタイプのものである。トイレ用リモコンＲは、リモコン本体１０を保持するホルダ２０を備えている。以下、各構成部材において、取付面Ｔに固定されたホルダ２０にリモコン本体１０が保持された状態（リモコン取付状態）における上側（図３では上側）を上方、下側（図３では下側）を下方とし、リモコン取付状態における取付面Ｔに臨む側（図４では左側）を裏側、その反対側（図４では右側）を表側として説明する。
【００１５】
リモコン本体１０は、片手で持って操作できる大きさを有している。リモコン本体１０は、上下方向に長い略長方形の板状をなしている。
リモコン本体１０の表面（リモコン取付状態において取付面Ｔと反対側の面）１１は、全体が透明な樹脂カバー１２で覆われた凹凸のないフラットな面である。リモコン本体１０の表面１１には、図１に示すように、第１操作部１３が設けられている。第１操作部１３は、使用頻度の多い操作スイッチを有している。操作スイッチは、トイレ装置の各種機能を実行する際に操作されるものであり、例えば便器洗浄（大、小）、局部洗浄、便座便蓋の開閉操作、温風乾燥、洗浄強さの調整、ノズル位置の調整、各種温度の調整などのスイッチである。第１操作部１３は、触れるだけで反応する静電スイッチが用いられている。
【００１６】
リモコン本体１０の裏面（リモコン本体１０のうち取付面Ｔに臨む側の面）１４には、図２に示すように、第２操作部１５が設けられている。第２操作部１５は、使用頻度の少ない設定スイッチを有している。設定スイッチは、リモコン本体の電源のＯＮ，ＯＦＦや、節電や自動洗浄等のＯＮ，ＯＦＦ設定、また時刻の設定等を行う際に操作される。第２操作部１５は、押圧操作により動作する押圧スイッチが用いられている。リモコン本体１０の裏面１４には、設定状態などを表示する表示部１６が備えられている。
【００１７】
リモコン本体１０には、第１操作部１３の操作時に振動する振動モータや、リモコン本体１０の傾き検出に用いられる加速度センサ（３軸センサ）が備えられている。リモコン本体１０の下部４７には、電池が収納される収納部１７が設けられている。
【００１８】
ホルダ２０は、図１に示すように、全体として上下方向に長い略長方形の板状をなしている。ホルダ２０の上下方向の寸法は、リモコン本体１０の上下方向の寸法より大きい。ホルダ２０は、上下方向に長い長方形の板状をなす本体部２１と、本体部２１の上下両端部に備えられた一対の保持部３０Ｆ，３０Ｓとを備えている。本体部２１の左右方向の寸法は、リモコン本体１０の左右方向の寸法より小さい（図６及び図７参照）。
【００１９】
本体部２１には、図４に示すように、取付面Ｔに固定されるホルダ固定部２２が設けられている。ホルダ固定部２２は、上下に一対が備えられている。ホルダ固定部２２は、裏側に突出する形状をなしている。ホルダ固定部２２の裏面（突出端面）は、取付面Ｔに近接または当接する。ホルダ固定部２２の裏面には、固定用のネジ２３が貫通する貫通孔２４が形成されている。ホルダ固定部２２の表側は、本体部２１の表面において凹みを形成している。ホルダ固定部２２は、図１に示すように、本体部２１の左右方向における略中央に位置している。本体部２１の表面は、ホルダ固定部２２を除き平坦な面で構成されている。
【００２０】
一対の保持部３０Ｆ，３０Ｓは、下側に配される第１保持部３０Ｆ、及び上側に配される第２保持部３０Ｓである。一対の保持部３０Ｆ，３０Ｓは、リモコン本体１０を間に挟んでリモコン本体１０の上下方向（取付面Ｔに沿った一方向）の移動を規制する。
【００２１】
第１保持部３０Ｆ及び第２保持部３０Ｓは、いずれもリモコン本体１０の端部を覆うキャップ状をなしている。第１保持部３０Ｆ及び第２保持部３０Ｓは、リモコン本体１０の両端部のみを覆う。よって、リモコン取付状態では、リモコン本体１０の大部分は外部に露出する。
【００２２】
第１保持部３０Ｆ及び第２保持部３０Ｓは、リモコン本体１０の上下両端面に被さる端壁部３１と、リモコン本体１０の端部の周面に被さる周壁部３２とを備えている。端壁部３１は、リモコン本体１０の上下両端面と同形状をなしている。端壁部３１は、本体部２１の表面に対して略垂直に立っている。周壁部３２は、端壁部３１の外縁に沿って端壁部３１に対して略垂直に立っている。周壁部３２の高さ寸法（上下方向の寸法）は、周方向にわたり等しい。
【００２３】
周壁部３２は、リモコン本体１０の周面（外面）と対向してリモコン本体１０の移動を規制する第１規制部３２Ｆ及び第２規制部３２Ｓを構成する。
第１規制部３２Ｆは、図３に示すように、周壁部３２の左右両端部（端壁部３１の左右両側の縁に沿って立つ部分）である。第１規制部３２Ｆは、リモコン本体１０の左右両面と対向して左右方向（取付面Ｔに沿った一方向と交差する他方向）の移動を規制する。第１規制部３２Ｆの高さ寸法は、リモコン本体１０の左右両面に係止して、リモコン本体１０の離脱を防止できる寸法である。
【００２４】
第２規制部３２Ｓは、図３及び図４に示すように、周壁部３２の表側端部（端壁部３１の表側の縁に沿って立つ部分）である。第２規制部３２Ｓは、リモコン本体１０の表面１１と対向して表方向（取付面Ｔに垂直な方向）の移動を規制する。第２規制部３２Ｓの高さ寸法は、リモコン本体１０の表面に係止して、リモコン本体１０の離脱を防止できる寸法である。
【００２５】
ホルダ２０は、相対的に上下方向にスライド移動する第１部材２０Ｆ及び第２部材２０Ｓを備えている（図７及び図８参照）。第１部材２０Ｆは、取付面Ｔに固定される。第２部材２０Ｓは、第１部材２０Ｆに対して上下方向にスライドする。第１部材２０Ｆに第１保持部３０Ｆが設けられ、第２部材２０Ｓに第２保持部３０Ｓが設けられている。一対の保持部３０Ｆ，３０Ｓは、接近方向及び離間方向に移動自在である。
【００２６】
第１部材２０Ｆは、図５に示すように、本体部２１の表面の全体を有する第１本体部２１Ｆを備えている。第１本体部２１Ｆは、本体部２１の表面を構成する表面部２５と、本体部２１の上下両面を構成する上下両面部２６と、本体部２１の左右両面を構成する左右両面部２７とを備えている。上下両面部２６及び左右両面部２７は、表面部２５の外縁から裏側に立っている。第１本体部２１Ｆの裏面には、上下両面部２６及び左右両面部２７で囲まれた凹部２８が形成されている。上面部２６には、第２部材２０Ｓの第２本体部２１Ｓを上方に突出させる切欠き部２９が形成されている。
【００２７】
第１本体部２１Ｆの裏面には、図７及び図８に示すように、第１部材２０Ｆと第２部材２０Ｓとのスライド移動を案内する第１ガイド部３３Ｆが備えられている。第１ガイド部３３Ｆは、第１本体部２１Ｆの上端部の左右両側に設けられている。各第１ガイド部３３Ｆは、表面部２５に対して垂直に立った板状をなす。左右一対の第１ガイド部３３Ｆは、略平行をなして上下方向に延びている。なお、第１ガイド部３３Ｆは、左右両面部２７から離れている。
【００２８】
第１本体部２１Ｆの裏面には、図７及び図８に示すように、第１部材２０Ｆと第２部材２０Ｓとのスライド移動を制限する第１ストッパ部３４Ｆが備えられている。第１ストッパ部３４Ｆは、表面部２５の上側領域に突設されている。第１ストッパ部３４Ｆは、方形状をなすストッパ周面３５を有している。
【００２９】
図７に示すように、ストッパ周面３５のうちの上面に、後述する第２ストッパ部３４Ｓが当接することにより、第２部材２０Ｓの下方への移動が制限される。図８に示すように、ストッパ周面３５のうちの下面に、第２ストッパ部３４Ｓが当接することにより、第２部材２０Ｓの上方への移動が制限される。なお、第１ストッパ部３４Ｆは、ホルダ固定部２２を兼ねている。
【００３０】
第１本体部２１Ｆの裏面には、図７に示すように、第２部材２０Ｓに係止する第１係止部３６Ｆが備えられている。第１係止部３６Ｆは、図５に示すように、第１ガイド部３３Ｆの裏側端から表面部２５と平行な方向に延出した板状をなしている。第１係止部３６Ｆが第２部材２０Ｓの裏側に係止することにより、第１部材２０Ｆと第２部材２０Ｓとの組み付け状態が保持される。
【００３１】
第１保持部３０Ｆは、第１本体部２１Ｆの下端部に設けられている。第１保持部３０Ｆの端壁部３１の外周縁は、周壁部３２及び第１本体部２１Ｆによって全周が囲まれている。
【００３２】
第２部材２０Ｓは、第１本体部２１Ｆの凹部２８に配される第２本体部２１Ｓを備えている。第２本体部２１Ｓの上下方向の寸法は、第１本体部２１Ｆの上下方向の寸法の半分程度の寸法とされている。
【００３３】
第２本体部２１Ｓは、第１本体部２１Ｆの表面部２５に沿って配される裏面部３７と、裏面部３７の外縁に沿って立つ周面部３８とを備えている。裏面部３７は、左右方向の寸法が小さい小幅部３９と、左右方向の寸法が大きい大幅部４１とを有している。小幅部３９は、大幅部４１より上側に位置している。小幅部３９の左右方向の寸法は、第１部材２０Ｆの上面部２６の切欠き部２９を上下方向に通過可能な寸法である。
【００３４】
周面部３８の立ち上がり寸法（表裏方向の寸法）は、その裏側の端面が、第１本体部２１Ｆの上下両面部２６及び左右両面部２７の裏側の端面と揃う寸法である。
周面部３８は第１本体部２１Ｆの左右両面部２７に沿う左右一対の側面部４２と、第１ガイド部３３Ｆに沿う左右一対の第２ガイド部３３Ｓとを備えている。側面部４２は、大幅部４１の左右両側縁に沿い、第２ガイド部３３Ｓは、小幅部３９の左右両側縁に沿っている。
【００３５】
左右の第２ガイド部３３Ｓは、第１ガイド部３３Ｆと接触して第１部材２０Ｆに対し、第２部材２０Ｓの上下方向の移動を案内する。左右一対の第２ガイド部３３Ｓの上端部は、第１部材２０Ｆの上面部２６の切欠き部２９から上方に突出する。左右の第２ガイド部３３Ｓの上端に架け渡された渡し部４３に、第２保持部３０Ｓが固定されている。第２保持部３０Ｓの周壁部３２は、全周が閉じた形態をなしている。
【００３６】
第２部材２０Ｓには、図７に示すように、第１係止部３６Ｆが係止する第２係止部３６Ｓと、図８に示すように、第１係止部３６Ｆが係止しない逃げ部４４とが設けられている。第２係止部３６Ｓ及び逃げ部４４は第２ガイド部３３Ｓに設けられている。逃げ部４４は、第１部材２０Ｆと第２部材２０Ｓとの組み付け状態において一対の保持部３０Ｆ，３０Ｓが最も離れた位置に配されたときに、第１係止部３６Ｆに対応する位置に設けられている。逃げ部４４は、第２ガイド部３３Ｓの一部が、第１係止部３６Ｆの外形に沿う形状をなして左右方向の中央側に凹んだ形態をなす。第２係止部３６Ｓは、逃げ部４４の上側に設けられている。
【００３７】
第２部材２０Ｓには、図７及び図８に示すように、第１部材２０Ｆの第１ストッパ部３４Ｆに当接して第１部材２０Ｆ及び第２部材２０Ｓのスライド移動を制限する第２ストッパ部３４Ｓが設けられている。第２ストッパ部３４Ｓは、第１ストッパ部３４Ｆに外嵌する略方形の枠状をなしている。第２ストッパ部３４Ｓは、互いに略平行な一対の側部４５と、互いに略平行な上部４６及び下部４７とを有している。一対の側部４５は、第１ストッパ部３４Ｆのストッパ周面３５のうち左右両側面に当接して第１部材２０Ｆ及び第２部材２０Ｓのスライド移動を案内する。上部４６及び下部４７は、ストッパ周面３５のうち上面及び下面にそれぞれ当接して第１部材２０Ｆ及び第２部材２０Ｓのスライド移動を規制する。
【００３８】
ホルダ２０は、第１部材２０Ｆ及び第２部材２０Ｓのスライド移動を固定する固定具４８を備えている。固定具４８は、図７に示すように、一対の保持部３０Ｆ，３０Ｓが最も接近した状態において第１部材２０Ｆ及び第２部材２０Ｓを固定する。すなわち固定具４８により、一対の保持部３０Ｆ，３０Ｓの離間方向の移動が固定される。固定具４８は、第１本体部２１Ｆの左右両面部２７と第２本体部２１Ｓの側面部４２とを固定するネジ及びナットである。
【００３９】
第１部材２０Ｆの左右両面部２７には、固定具４８により第２部材２０Ｓの側面部４２と固定される第１部材固定部５１Ｆが設けられている。第２部材２０Ｓの側面部４２には、固定具４８により第１部材２０Ｆの左右両面部２７と固定される第２部材固定部５１Ｓが設けられている。第１部材固定部５１Ｆ及び第２部材固定部５１Ｓは、スライド移動させた状態で左右に一致する位置に配される。第１部材固定部５１Ｆ及び第２部材固定部５１Ｓには、左右方向に貫通する貫通孔が形成されている。第１部材固定部５１Ｆは、左右方向における中央側に一段入った位置に設けられている。
【００４０】
次に、本実施例のトイレ用リモコンＲを取付面Ｔに取り付ける作業の一例を説明する。
まず、第１部材２０Ｆと第２部材２０Ｓとを組み付ける。図５に示すように、第１部材２０Ｆの第１係止部３６Ｆと第２部材２０Ｓの逃げ部４４との位置をあわせて、第２部材２０Ｓの第２本体部２１Ｓを第１部材２０Ｆの凹部２８に嵌める。次いで、第１部材２０Ｆと第２部材２０Ｓとをスライドさせ、図６に示すように、第１係止部３６Ｆを逃げ部４４からずらして第２係止部３６Ｓに係止させる。この際、第１ガイド部３３Ｆと第２ガイド部３３Ｓとが当接して第１部材２０Ｆと第２部材２０Ｓとのスライド移動が案内される。第１係止部３６Ｆが第２係止部３６Ｓに係止することにより、第１部材２０Ｆと第２部材２０Ｓとが組み付け状態に保持される。
【００４１】
次に、ホルダ２０を取付面Ｔに固定する。第１保持部３０Ｆが下側、第２保持部３０Ｓが上側に配される向きにして、ホルダ２０の裏面を取付面Ｔに当てる。第２部材２０Ｓの自重により、第２ストッパ部３４Ｓの上部４６が第１ストッパ部３４Ｆのストッパ周面３５に当接し、第１部材２０Ｆと第２部材２０Ｓとの組み付け状態が保持される。ホルダ２０の表側からホルダ固定部２２の貫通孔２４にネジ２３を通し、ホルダ固定部２２を取付面Ｔに固定する。これによりホルダ２０が取付面Ｔに固定される。
【００４２】
次いで、リモコン本体１０をホルダ２０にセットする。第２部材２０Ｓを上方にスライドさせて、一対の保持部３０Ｆ，３０Ｓの間を開く。第１保持部３０Ｆにリモコン本体１０の下端部を嵌め入れ、リモコン本体１０の裏面１４をホルダ２０の本体部２１の表面に合わせる。第１保持部３０Ｆの端壁部３１がリモコン本体１０の下面を支持し、第１保持部３０Ｆの周壁部３２がリモコン本体１０の下端部の外周面を覆う。第２部材２０Ｓを下方にスライドさせて、第２保持部３０Ｓをリモコン本体１０の上端部に被せる。第２部材２０Ｓの第２ストッパ部３４Ｓの上部４６が第１ストッパ部３４Ｆのストッパ周面３５に当接し、第２部材２０Ｓのスライド移動が止まる。第２保持部３０Ｓの端壁部３１は、リモコン本体１０の上面に当接または近接し、第２保持部３０Ｓの周壁部３２は、リモコン本体１０の上端部の外周面を覆う。固定具４８により第１部材固定部５１Ｆと第２部材固定部５１Ｓとを固定し、一対の保持部３０Ｆ，３０Ｓの離間方向の移動を規制する。
【００４３】
リモコン本体１０は、一対の保持部３０Ｆ，３０Ｓに挟まれて上下方向の移動が規制される。また、各保持部３０Ｆ，３０Ｓに設けられた第１規制部３２Ｆにより、左右方向の移動が規制され、各保持部３０Ｆ，３０Ｓに設けられた第２規制部３２Ｓにより、表方向の移動が規制される。これにより、リモコン本体１０がホルダ２０にセットされた状態に保持される。
以上により、トイレ用リモコンＲを取付面Ｔに取り付ける作業が完了する。
【００４４】
次に、上記のように構成された実施例の作用および効果について説明する。
本実施例におけるトイレ用リモコンＲは、トイレ装置を操作するために用いるトイレ用リモコンＲであって、トイレ装置に操作信号を送信するリモコン本体１０と、取付面Ｔに固定されてリモコン本体１０を保持するホルダ２０と、を備えている。ホルダ２０は、リモコン本体１０を間に挟んでリモコン本体１０の上下方向の移動を規制する一対の保持部３０Ｆ，３０Ｓを有している。保持部３０Ｆ，３０Ｓは、左右方向のリモコン本体１０の移動を規制する第１規制部３２Ｆと、表方向のリモコン本体１０の移動を規制する第２規制部３２Ｓと、を備えている。
【００４５】
この構成によれば、リモコン本体１０は、一対の保持部３０Ｆ，３０Ｓにより上下方向の移動が規制され、保持部３０Ｆ，３０Ｓに設けられた第１規制部３２Ｆにより、左右方向の移動が規制され、保持部３０Ｆ，３０Ｓに設けられた第２規制部３２Ｓにより、表方向の移動が規制される。したがって、リモコン本体１０をネジ固定しなくても、リモコン本体１０がホルダ２０から容易に取り外されることを防ぐことができる。
【００４６】
また、保持部３０Ｆ，３０Ｓが、リモコン本体１０の端部を覆う形状をなし、第１規制部３２Ｆ及び第２規制部３２Ｓが、リモコン本体１０の外面と対向してリモコン本体１０の移動を規制する。この構成によれば、第１規制部３２Ｆ及び第２規制部３２Ｓとして、リモコン本体１０及びホルダ２０に、互いに嵌り合う凹凸を形成しなくてよいから、リモコン本体１０の見た目をより良くできる。
【００４７】
また、ホルダ２０が、上下方向にスライド移動自在な一対の部材２０Ｆ，２０Ｓを有している。一対の部材２０Ｆ，２０Ｓのうち第１部材２０Ｆに、一対の保持部３０Ｆ，３０Ｓのうち第１保持部３０Ｆが設けられている。一対の部材２０Ｆ，２０Ｓのうち第２部材２０Ｓに、一対の保持部３０Ｆ，３０Ｓのうち第２保持部３０Ｓが設けられている。一対の保持部３０Ｆ，３０Ｓは、接近方向及び離間方向に移動自在である。この構成によれば、一対の保持部３０Ｆ，３０Ｓを離間方向に移動してその間にリモコン本体１０をセットし、一対の保持部３０Ｆ，３０Ｓを接近方向に移動してその間にリモコン本体１０を挟むことができるから、リモコン本体１０の取り付け作業を容易に行うことができる。
【００４８】
また、一対の部材２０Ｆ，２０Ｓの離間方向の移動を固定する固定具４８を備えている。この構成によれば、一対の部材２０Ｆ，２０Ｓの離間方向の移動が固定具４８により確実に固定されるから、リモコン本体１０の保持状態を確実に保つことができる。
【００４９】
また、リモコン本体１０の裏面１４に第２操作部１５が設けられている。この構成によれば、リモコン本体１０がホルダ２０に保持された状態では第２操作部１５を操作できないから、本実施例のように第２操作部１５をトイレ装置の各種設定を行うための操作部とすることにより、不特定多数の人が利用する場において各種設定が勝手に変更されることを防ぐことができる。
【００５０】
＜他の実施例＞
本発明は上記記述及び図面によって説明した実施例に限定されるものではなく、例えば次のような実施例も本発明の技術的範囲に含まれる。
（１）上記実施例では、第１保持部３０Ｆ及び第２保持部３０Ｓが、リモコン本体１０の端部を覆う形状をなし、第１規制部３２Ｆ及び第２規制部３２Ｓが、リモコン本体１０の外面と対向してリモコン本体１０の移動を規制するが、これに限らず、例えば第１保持部及び第２保持部が周壁部を有さず、第１規制部及び第２規制部として第１保持部の端壁部から上方、また第２保持部の端壁部から下方に突出する突出壁を設け、リモコン本体の上面及び下面に、突出壁が挿入される溝部を形成し、溝部に突出壁が挿入されてリモコン本体の移動が規制されるようにしてもよい。
（２）上記実施例では、ホルダ２０が、スライド移動自在な一対の部材２０Ｆ，２０Ｓを有しているが、これに限らず、ホルダはスライド移動自在な一対の部材を有していなくてもよく、例えば一対の保持部うち一方の保持部をホルダの本体部に固定して設け、他方の保持部をホルダの本体部に着脱する形態としてもよい。
（３）上記実施例では、一対の部材２０Ｆ，２０Ｓの離間方向の移動を固定する固定具４８がネジである場合を例示したが、これに限らず、固定手段は変更してもよい。
（４）上記実施例では、リモコン本体１０の裏面１４に第２操作部１５が設けられているが、これに限らず、第２操作部は設けなくてもよい。
（５）上記実施例では、一対の保持部３０Ｆ，３０Ｓがリモコン本体１０を上下から挟むが、これに限らず、例えば一対の保持部がリモコン本体を左右から挟むものとしてもよい。この場合、一対の保持部に、リモコン本体の上下方向の移動を規制する第１規制部及びリモコン本体の表側への移動を規制する第２規制部を設ける。
（６）上記実施例では、一対の保持部３０Ｆ，３０Ｓのいずれにも第１規制部３２Ｆ及び第２規制部３２Ｓが設けられているが、これに限らず、一対の保持部のうちいずれか一方の保持部のみに第１規制部及び第２規制部を設けても良く、例えば第１保持部の周壁部の高さ寸法を増して第２保持部の周壁部を省く等してもよい。
（７）上記実施例では、第１部材固定部５１Ｆ及び第２部材固定部５１Ｓが、スライド移動させた状態で左右に一致する位置に配されるが、これに限らず、例えば少なくとも一方の固定部に長孔を設けて、両固定部がずれた位置に配されるようにしてもよいし、複数の固定部を設けて、両固定部の固定位置を調整できるようにしてもよい。
【符号の説明】
【００５１】
Ｒ…トイレ用リモコン
Ｔ…取付面
１０…リモコン本体
１４…リモコン本体の裏面（リモコン本体のうち取付面に臨む側の面）
１５…第２操作部
２０…ホルダ
２０Ｆ，２０Ｓ…一対の部材
２０Ｆ…第１部材（一方の部材）
２０Ｓ…第２部材（他方の部材）
３０Ｆ，３０Ｓ…一対の保持部
３０Ｆ…第１保持部（一方の保持部）
３０Ｓ…第２保持部（他方の保持部）
３２Ｆ…第１規制部
３２Ｓ…第２規制部
４８…固定具
【図１】
2020143542.tif 000003
【図２】
2020143542.tif 000004
【図３】
2020143542.tif 000005
【図４】
2020143542.tif 000006
【図５】
2020143542.tif 000007
【図６】
2020143542.tif 000008
【図７】
2020143542.tif 000009
【図８】
2020143542.tif 000010